(57)【要約】【課題】走査電極駆動回路を簡略化し、かつ安定した放電制御を実現する。【解決手段】走査電極と維持電極とデータ電極とを有する放電セルを複数備えたパネルと、走査電極に走査パルスを印加して放電セルで書き込み放電を発生させる書き込み期間と走査電極に走査側維持パルスを印加して放電セルで維持放電を発生させる維持期間とを有する複数のサブフィールドで１フィールドを構成して走査電極を駆動する走査電極駆動回路３３と、走査電極駆動回路３３に電力を供給する電源回路とを備えたプラズマディスプレイ装置であって、走査電極駆動回路３３はパルス発生部４０を有し、パルス発生部４０は波高値の絶対値の等しい走査パルスと走査側維持パルスとを発生する。【選択図】図４
2010061054.tif 000002
【特許請求の範囲】
【請求項１】
走査電極と維持電極とデータ電極とを有する放電セルを複数備えたプラズマディスプレイパネルと、
前記走査電極に走査パルスを印加して前記放電セルで書き込み放電を発生させる書き込み期間と、前記走査電極に走査側維持パルスを印加して前記放電セルで維持放電を発生させる維持期間とを有する複数のサブフィールドで１フィールドを構成して、前記走査電極を駆動する走査電極駆動回路と、
前記走査電極駆動回路に電力を供給する電源回路とを備えたプラズマディスプレイ装置であって、
前記走査電極駆動回路はパルス発生部を有し、前記パルス発生部は波高値の絶対値の等しい前記走査パルスと前記走査側維持パルスとを発生することを特徴とするプラズマディスプレイ装置。
【請求項２】
前記電源回路はフローティング電源を有し、
前記パルス発生部は、前記走査電極のそれぞれに対して、前記フローティング電源の高圧側の電圧を印加するための高圧側スイッチング素子と前記フローティング電源の低圧側の電圧を印加するための低圧側スイッチング素子とを備えたことを特徴とする請求項１に記載のプラズマディスプレイ装置。
【請求項３】
前記パルス発生部は、前記維持電極に印加する維持側維持パルスの波高値よりも低い波高値の前記走査側維持パルスを発生することを特徴とする請求項１に記載のプラズマディスプレイ装置。
【請求項４】
前記走査側維持パルスの立ち下り期間が終了する前に前記維持側維持パルスの立ち上がり期間を開始し、前記維持側維持パルスの立ち下り期間が終了する前に前記走査側維持パルスの立ち上がり期間を開始することを特徴とする請求項１に記載のプラズマディスプレイ装置。
【請求項５】
走査電極と維持電極とデータ電極とを有する放電セルを複数備えたプラズマディスプレイパネルと、
前記走査電極に走査パルスを印加して前記放電セルで書き込み放電を発生させる書き込み期間と、前記走査電極に走査側維持パルスを印加して前記放電セルで維持放電を発生させる維持期間とを有する複数のサブフィールドで１フィールドを構成して、前記走査電極を駆動する走査電極駆動回路と、
前記走査電極駆動回路に電力を供給する電源回路とを備えたプラズマディスプレイ装置の駆動方法であって、
前記走査電極駆動回路はパルス発生部を有し、前記パルス発生部で発生させた波高値の絶対値の等しい前記走査パルスと前記走査側維持パルスとを前記走査電極に印加することを特徴とするプラズマディスプレイ装置の駆動方法。
【請求項６】
前記電源回路はフローティング電源を有し、
前記パルス発生部は、前記走査電極のそれぞれに対して、前記フローティング電源の高圧側の電圧を印加するための高圧側スイッチング素子と前記フローティング電源の低圧側の電圧を印加するための低圧側スイッチング素子とを備え、前記高圧側スイッチング素子と前記低圧側スイッチング素子とを用いて前記走査パルスと前記走査側維持パルスとを前記走査電極に印加することを特徴とする請求項５に記載のプラズマディスプレイ装置の駆動方法。
【請求項７】
前記走査電極に前記維持電極に印加する維持側維持パルスの波高値よりも低い波高値の前記走査側維持パルスを印加することを特徴とする請求項５に記載のプラズマディスプレイ装置の駆動方法。
【請求項８】
前記走査側維持パルスの立ち下がり期間が終了する前に前記維持側維持パルスの立ち上がり期間を開始し、前記維持側維持パルスの立ち下がり期間が終了する前に前記走査側維持パルスの立ち上がり期間を開始することを特徴とする請求項５に記載のプラズマディスプレイ装置の駆動方法。
【発明の詳細な説明】
【技術分野】
【０００１】
本発明は、ＡＣ型プラズマディスプレイパネルを用いた画像表示装置であるプラズマディスプレイ装置とその駆動方法に関する。
【背景技術】
【０００２】
プラズマディスプレイパネル（以下、「パネル」と略記する）として代表的な交流面放電型パネルは、１対の走査電極と維持電極とからなる表示電極対が複数対形成された前面基板と、データ電極が複数形成された背面基板とが対向配置している。そして表示電極対とデータ電極との対向する部分に放電セルが形成されている。パネルは、このようなパネルの各放電セル内でガス放電を発生させ各色の蛍光体を励起発光させてカラー表示を行っている。
【０００３】
パネルを駆動する方法としては、１フィールド期間を複数のサブフィールドに分割し、サブフィールドのそれぞれで放電セルを発光または非発光させて階調表示を行うサブフィールド法が一般的である。各サブフィールドは、初期化期間、書き込み期間および維持期間を有する。初期化期間では初期化放電を発生し、続く書き込み動作に必要な壁電荷を各電極上に形成する。書き込み期間では走査電極に走査パルスを印加するとともにデータ電極に選択的に書き込みパルスを印加して書き込み放電を発生し壁電荷を形成する。そして維持期間では表示電極対に交互に維持パルスを印加し、書き込み放電を起こした放電セルで維持放電を発生させ、対応する放電セルの蛍光体層を発光させることにより画像表示を行う。
【０００４】
このようなパネルの駆動方法の中で、安定した放電制御を行うためにさまざまな駆動電圧波形が検討されている。例えば、特許文献１には、走査電極へ印加する維持パルスの波高値を維持電極へ印加する維持パルスの波高値よりも高く設定して、維持放電を安定して発生させる駆動方法が記載されている。
【０００５】
また走査電極には、初期化電圧、走査パルス、維持パルス等の複雑な駆動電圧波形を印加する必要があり、それらの駆動電圧波形を発生させる走査電極駆動回路は複雑な回路構成となりがちである。そのため簡素化した走査電極駆動回路の提案がなされている。例えば特許文献２には、正の走査パルスを各走査電極に印加し負の書き込みパルスをデータ電極に印加して回路の簡素化を図った走査電極駆動回路が開示されている。
【特許文献１】特開２００６−２５９０６１号公報
【特許文献２】特開平１１−３１６５７０号公報
【発明の開示】
【発明が解決しようとする課題】
【０００６】
しかしながら、安定した放電制御を行うためには駆動電圧波形が複雑になる傾向があり、それを実現するために走査電極駆動回路が複雑になるだけでなく、必要な電圧の数も増加して電源回路も複雑になる傾向があった。一方、走査電極駆動回路を簡素化すると、実現できる駆動電圧波形が制限され、安定した放電制御が難しくなる傾向があった。このように安定した放電制御と駆動回路の簡素化とを両立させることは難しかった。
【０００７】
本発明はこれらの課題に鑑みなされたものであり、走査電極駆動回路を簡略化し、かつ安定した放電制御を実現したプラズマディスプレイ装置とその駆動方法を提供することを目的とする。
【課題を解決するための手段】
【０００８】
上記目的を達成するために本発明は、走査電極と維持電極とデータ電極とを有する放電セルを複数備えたパネルと、走査電極に走査パルスを印加して放電セルで書き込み放電を発生させる書き込み期間と走査電極に走査側維持パルスを印加して放電セルで維持放電を発生させる維持期間とを有する複数のサブフィールドで１フィールドを構成して走査電極を駆動する走査電極駆動回路と、走査電極駆動回路に電力を供給する電源回路とを備えたプラズマディスプレイ装置であって、走査電極駆動回路はパルス発生部を有し、パルス発生部は波高値の絶対値の等しい走査パルスと走査側維持パルスとを発生することを特徴とする。この構成により、走査電極駆動回路を簡略化し、かつ安定した放電制御を実現したプラズマディスプレイ装置を提供することができる。
【０００９】
また本発明のプラズマディスプレイ装置の電源回路はフローティング電源を有し、パルス発生部は走査電極のそれぞれに対してフローティング電源の高圧側の電圧を印加するための高圧側スイッチング素子とフローティング電源の低圧側の電圧を印加するための低圧側スイッチング素子とを備えている。
【００１０】
また本発明のプラズマディスプレイ装置のパルス発生部は、維持電極に印加する維持側維持パルスの波高値よりも低い波高値の走査側維持パルスを発生することが望ましい。
【００１１】
また本発明のプラズマディスプレイ装置は、走査側維持パルスの立ち下がり期間が終了する前に維持側維持パルスの立ち上がり期間を開始し、維持側維持パルスの立ち下がり期間が終了する前に走査側維持パルスの立ち上がり期間を開始することが望ましい。
【００１２】
また本発明は、走査電極と維持電極とデータ電極とを有する放電セルを複数備えたパネルと、走査電極に走査パルスを印加して放電セルで書き込み放電を発生させる書き込み期間と走査電極に走査側維持パルスを印加して放電セルで維持放電を発生させる維持期間とを有する複数のサブフィールドで１フィールドを構成して走査電極を駆動する走査電極駆動回路と、走査電極駆動回路に電力を供給する電源回路とを備えたプラズマディスプレイ装置の駆動方法であって、走査電極駆動回路はパルス発生部を有し、パルス発生部は波高値の絶対値の等しい走査パルスと走査側維持パルスとを印加することを特徴とする。この構成により、走査電極駆動回路を簡略化し、かつ安定した放電制御を実現したプラズマディスプレイ装置の駆動方法を提供することができる。
【００１３】
また本発明のプラズマディスプレイ装置の駆動方法は、前記電源回路はフローティング電源を有し、前記パルス発生部は、前記走査電極のそれぞれに対して、前記フローティング電源の高圧側の電圧を印加するための高圧側スイッチング素子と前記フローティング電源の低圧側の電圧を印加するための低圧側スイッチング素子とを備え、前記高圧側スイッチング素子と前記低圧側スイッチング素子とを用いて前記走査パルスと前記走査側維持パルスとを前記走査電極に印加することを特徴とする。
【００１４】
また本発明のプラズマディスプレイ装置の駆動方法は、維持電極に印加する維持側維持パルスの波高値よりも低い波高値の走査側維持パルスを印加することが望ましい。
【００１５】
また本発明のプラズマディスプレイ装置の駆動方法は、走査側維持パルスの立ち下がり期間が終了する前に維持側維持パルスの立ち上がり期間を開始し、維持側維持パルスの立ち下がり期間が終了する前に走査側維持パルスの立ち上がり期間を開始することが望ましい。
【発明の効果】
【００１６】
本発明によれば、走査電極駆動回路を簡略化し、かつ安定した放電制御を実現したプラズマディスプレイ装置とその駆動方法を提供することが可能となる。
【発明を実施するための最良の形態】
【００１７】
以下、本発明の実施の形態におけるパネルの駆動方法について、図面を用いて説明する。
【００１８】
（実施の形態）
図１は、本発明の実施の形態に用いるパネル１０の構造を示す分解斜視図である。ガラス製の前面基板１１上には、走査電極１２と維持電極１３とからなる表示電極対１４が複数形成されている。そして走査電極１２と維持電極１３とを覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１９】
これら前面基板１１と背面基板２１とは、微小な放電空間を挟んで表示電極対１４とデータ電極２２とが交差するように対向配置され、その外周部はガラスフリット等の封着材（図示せず）によって封着されている。そして放電空間には、例えばネオンとキセノンの混合ガスが放電ガスとして封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００２０】
なお、パネル１０の構造は上述したものに限られるわけではなく、例えばストライプ状の隔壁を備えたものであってもよい。
【００２１】
図２は、本発明の実施の形態に用いるパネル１０の電極配列図である。パネル１０には、行方向に長いｎ本の走査電極ＳＣ１〜ＳＣｎ（図１の走査電極１２）およびｎ本の維持電極ＳＵ１〜ＳＵｎ（図１の維持電極１３）が配列され、列方向に長いｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００２２】
図３は、本発明の実施の形態におけるプラズマディスプレイ装置３０の回路ブロック図である。プラズマディスプレイ装置３０は、パネル１０、画像信号処理回路３１、データ電極駆動回路３２、走査電極駆動回路３３、維持電極駆動回路３４、タイミング発生回路３５および電源回路３６を備えている。
【００２３】
画像信号処理回路３１は、入力された画像信号をサブフィールド毎の発光・非発光を示す画像データに変換する。データ電極駆動回路３２はサブフィールド毎の画像データを各データ電極Ｄ１〜Ｄｍに対応する信号に変換し各データ電極Ｄ１〜Ｄｍを駆動する。タイミング発生回路３５は水平同期信号および垂直同期信号をもとにして各回路ブロックの動作を制御する各種のタイミング信号を発生し、それぞれの回路ブロックへ供給する。走査電極駆動回路３３はタイミング信号にもとづいて各走査電極ＳＣ１〜ＳＣｎをそれぞれ駆動し、維持電極駆動回路３４はタイミング信号にもとづいて維持電極ＳＵ１〜ＳＵｎを駆動する。
【００２４】
電源回路３６は、走査電極駆動回路３３を含む各回路ブロックに電力を供給する様々な電源を備えている。特に走査電極駆動回路３３に供給する電源として、電源回路３６は、走査パルスおよび維持パルスを発生させるための、電圧Ｖｓ１であるフローティング電源Ｅ４１を備えている。そしてフローティング電源Ｅ４１はＤＣ−ＤＣコンバータで構成され、維持放電電流を供給できるだけの十分な電流供給能力を持っている。
【００２５】
図４は、本発明の実施の形態におけるプラズマディスプレイ装置３０の走査電極駆動回路３３の詳細を示す回路図である。
【００２６】
走査電極駆動回路３３は、パルス発生部４０および初期化波形発生部５０を備えている。
【００２７】
パルス発生部４０は、フローティング電源Ｅ４１の高圧側の電圧を走査電極ＳＣ１〜ＳＣｎのそれぞれに印加するための高圧側スイッチング素子としてのトランジスタＱ４２Ｈ１〜Ｑ４２Ｈｎと、フローティング電源Ｅ４１の低圧側の電圧を走査電極ＳＣ１〜ＳＣｎのそれぞれに印加するための低圧側スイッチング素子としてのトランジスタＱ４２Ｌ１〜Ｑ４２Ｌｎと、フローティング電源Ｅ４１の低圧側の電圧を負の電圧Ｖａに固定するトランジスタＱ４３と、フローティング電源Ｅ４１の低圧側の電圧を電圧０（Ｖ）に固定するトランジスタＱ４４、Ｑ４５とを有する。そして、詳細は後述するが、波高値の絶対値が電圧Ｖｓ１である走査パルスと、波高値の絶対値が電圧Ｖｓ１である走査側維持パルスとを発生する。
【００２８】
初期化波形発生部５０は、走査電極ＳＣ１〜ＳＣｎに上り傾斜波形電圧を印加するためのミラー積分回路５１と、走査電極ＳＣ１〜ＳＣｎに下り傾斜波形電圧を印加するためのミラー積分回路５２とを有する。ミラー積分回路５１はトランジスタＱ５１とコンデンサＣ５１と抵抗Ｒ５１とを有し、一方を正の電圧Ｖｓｅｔの電源に接続され、他方をフローティング電源Ｅ４１の低圧側に接続されている。ミラー積分回路５２はトランジスタＱ５２とコンデンサＣ５２と抵抗Ｒ５２とを有し、一方を負の電圧Ｖａの電源に接続され、他方をフローティング電源Ｅ４１の低圧側に接続されている。
【００２９】
なお、上記のトランジスタは、ＭＯＳＦＥＴやＩＧＢＴ等の一般に知られた素子を用いて構成することができる。
【００３０】
次に、走査電極駆動回路３３の動作を、パネル１０を駆動するための駆動電圧波形とともに説明する。プラズマディスプレイ装置３０は、サブフィールド法、すなわち１フィールド期間を複数のサブフィールドに分割し、サブフィールド毎に各放電セルの発光・非発光を制御することによって階調表示を行う。それぞれのサブフィールドは初期化期間、書き込み期間および維持期間を有する。初期化期間では初期化放電を発生して続く書き込み放電に必要な壁電荷を各電極上に形成する。書き込み期間では走査電極に走査パルスを順次印加するとともに画像信号にもとづきデータ電極に書き込みパルスを印加して、発光させるべき放電セルで選択的に書き込み放電を発生して続く維持放電に必要な壁電荷を形成する。そして維持期間では走査電極に走査側維持パルスを維持電極に維持側維持パルスをそれぞれ交互に印加して、書き込み放電を発生した放電セルで維持放電を発生させて発光させる。
【００３１】
本実施の形態においては、１フィールドを、例えば１０のサブフィールド（第１ＳＦ、第２ＳＦ、・・・、第１０ＳＦ）に分割し、各サブフィールドはそれぞれ、例えば（１、２、３、６、１１、１８、３０、４４、６０、８０）の輝度重みを持つものとする。また第１ＳＦの初期化期間ではすべての放電セルで初期化放電を発生させる全セル初期化動作を行い、第２ＳＦ〜第１０ＳＦの初期化期間では直前のサブフィールドで維持放電を行った放電セルで初期化放電を発生させる選択初期化動作を行うものとする。しかし本発明はサブフィールド数や各サブフィールドの輝度重みが上記の値に限定されるものではない。また、本発明は画像信号等にもとづいてサブフィールド構成を切り換える構成であってもよい。
【００３２】
図５は、本発明の実施の形態におけるパネル１０の各電極に印加する駆動電圧波形図であり、第１ＳＦと第２ＳＦとにおける駆動電圧波形を示している。
【００３３】
第１ＳＦの初期化期間の前半部では、データ電極Ｄ１〜Ｄｍに電圧０（Ｖ）を印加し、維持電極ＳＵ１〜ＳＵｎにも電圧０（Ｖ）を印加する。走査電極ＳＣ１〜ＳＣｎには、維持電極ＳＵ１〜ＳＵｎに対して放電開始電圧以下の電圧Ｖｓ１から、放電開始電圧を超える電圧（Ｖｓ１＋Ｖｓｅｔ）に向かって緩やかに上昇する上り傾斜波形電圧を印加する。
【００３４】
走査電極ＳＣ１〜ＳＣｎに上り傾斜波形電圧を印加するには、トランジスタＱ４４、Ｑ４５をオンにするとともに、トランジスタＱ４２Ｈ１〜Ｑ４２Ｈｎをオンにして走査電極ＳＣ１〜ＳＣｎに電圧Ｖｓ１を印加する。次にトランジスタＱ５１に電流を流してミラー積分回路５１を動作させる。すると電圧（Ｖｓ１＋Ｖｓｅｔ）に向かって緩やかに上昇する傾斜波形電圧が走査電極ＳＣ１〜ＳＣｎに印加される。
【００３５】
この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上に負の壁電圧が蓄積されるとともに、データ電極Ｄ１〜Ｄｍ上および維持電極ＳＵ１〜ＳＵｎ上には正の壁電圧が蓄積される。ここで、電極上の壁電圧とは電極を覆う誘電体層上、保護層上、蛍光体層上等に蓄積された壁電荷により生じる電圧を表す。
【００３６】
続く初期化期間の後半部では、維持電極ＳＵ１〜ＳＵｎに電圧Ｖｅ１を印加する。そして走査電極ＳＣ１〜ＳＣｎには、維持電極ＳＵ１〜ＳＵｎに対して放電開始電圧以下となる電圧Ｖｓｅｔから放電開始電圧を超える電圧Ｖａに向かって緩やかに下降する下り傾斜波形電圧を印加する。なお本実施の形態においては電圧Ｖａは負の電圧である。
【００３７】
走査電極ＳＣ１〜ＳＣｎに下り傾斜波形電圧を印加するには、トランジスタＱ４２Ｈ１〜Ｑ４２Ｈｎをオフ、トランジスタＱ４２Ｌ１〜Ｑ４２Ｌｎをオンにして走査電極ＳＣ１〜ＳＣｎに電圧Ｖｓｅｔを印加する。次にトランジスタＱ５１をオフにするとともにトランジスタＱ５２に電流を流してミラー積分回路５２が動作する。すると電圧Ｖａに向かって緩やかに下降する傾斜波形電圧が走査電極ＳＣ１〜ＳＣｎに印加される。
【００３８】
この間に、走査電極ＳＣ１〜ＳＣｎと維持電極ＳＵ１〜ＳＵｎとの間、および走査電極ＳＣ１〜ＳＣｎとデータ電極Ｄ１〜Ｄｍとの間で微弱な初期化放電が起こる。そして、走査電極ＳＣ１〜ＳＣｎ上の負の壁電圧および維持電極ＳＵ１〜ＳＵｎ上の正の壁電圧が弱められるとともに、データ電極Ｄ１〜Ｄｍ上の正の壁電圧は書き込み動作に適した値に調整される。なお、後述する書き込みパルス電圧Ｖｄを下げるために、走査電極ＳＣ１〜ＳＣｎに印加される電圧が電圧Ｖａに達する前にミラー積分回路５２の動作を停止してもよい。
【００３９】
続く書き込み期間では、まず維持電極ＳＵ１〜ＳＵｎに電圧Ｖｅ２を印加し、走査電極ＳＣ１〜ＳＣｎに電圧（Ｖａ＋Ｖｓ１）を印加する。
【００４０】
走査電極ＳＣ１〜ＳＣｎに電圧（Ｖａ＋Ｖｓ１）を印加するには、トランジスタＱ４４、Ｑ４５をオフにしてトランジスタＱ４３をオンにするとともに、トランジスタＱ４２Ｌ１〜Ｑ４２Ｌｎをオフに、トランジスタＱ４２Ｈ１〜Ｑ４２Ｈｎをオンにする。
【００４１】
次に、１行目の走査電極ＳＣ１に負の走査パルスを印加するとともに、発光すべき放電セルに対応するデータ電極Ｄｋ（ｋ＝１〜ｍ）に電圧Ｖｄの書き込みパルスを印加する。
【００４２】
走査電極ＳＣ１に走査パルスを印加するには、トランジスタＱ４２Ｈ１をオフにしトランジスタＱ４２Ｌ１をオンにする。このようにして走査電極ＳＣ１に印加される走査パルスの波高値の絶対値は電圧│（Ｖａ＋Ｖｓ１）−Ｖａ│＝Ｖｓ１である。
【００４３】
するとデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間で放電が開始し、維持電極ＳＵ１と走査電極ＳＣ１との間の放電に進展して書き込み放電が起こる。その結果、走査電極ＳＣ１上に正の壁電圧が蓄積され、維持電極ＳＵ１上に負の壁電圧が蓄積され、データ電極Ｄｋ上にも負の壁電圧が蓄積される。
【００４４】
このようにして、１行目に発光させるべき放電セルで書き込み放電を起こして各電極上に壁電圧を蓄積する書き込み動作が行われる。一方、書き込みパルス電圧Ｖｄを印加しなかったデータ電極Ｄ１〜Ｄｍと走査電極ＳＣ１との交差部の電圧は放電開始電圧を超えないので、書き込み放電は発生しない。その後、トランジスタＱ７２Ｈ１がオン、トランジスタＱ７２Ｌ１がオフに戻される。
【００４５】
次に、２行目の走査電極ＳＣ２に走査パルスを印加するとともに、発光すべき放電セルに対応するデータ電極Ｄｋに書き込みパルスを印加する。
【００４６】
走査電極ＳＣ２に電圧Ｖａを持つ走査パルスを印加するには、トランジスタＱ７２Ｈ２をオフにしトランジスタＱ７２Ｌ２をオンにする。このとき走査電極ＳＣ２に印加される走査パルスの波高値の絶対値も電圧Ｖｓ１である。
【００４７】
すると走査パルスと書き込みパルスとが同時に印加された２行目の放電セルでは書き込み放電が発生し、書き込み動作が行われる。
【００４８】
以下同様に、波高値の絶対値が電圧Ｖｓ１である走査パルスを走査電極ＳＣ３〜ＳＣｎに順次印加するとともに、発光すべき放電セルに対応するデータ電極Ｄｋに書き込みパルスを印加して、発光すべき放電セルに対して選択的に書き込み放電を発生させ壁電荷を形成する。このようにしてｎ行目の放電セルに至るまで書き込み動作が繰り返される。
【００４９】
その後、トランジスタＱ４３をオフ、トランジスタＱ４４、Ｑ４５をオンにするとともに、トランジスタＱ４２Ｈ１〜Ｑ４２Ｈｎをオフ、トランジスタＱ４２Ｌ１〜Ｑ４２Ｌｎをオンにする。
【００５０】
続く維持期間では、走査電極ＳＣ１〜ＳＣｎに波高値の絶対値が電圧Ｖｓ１である走査側維持パルスを、維持電極ＳＵ１〜ＳＵｎには波高値の絶対値が電圧Ｖｓ２である維持側維持パルスをそれぞれ交互に印加し、書き込み期間において書き込み放電を起こした放電セルで維持放電を継続して発生させる。
【００５１】
図６は、本発明の実施の形態における、プラズマディスプレイ装置３０の走査側維持パルスおよび維持側維持パルスの詳細を示す駆動電圧波形図である。
【００５２】
まず、トランジスタＱ４２Ｈ１〜Ｑ４２Ｈｎをオン、トランジスタＱ４２Ｌ１〜Ｑ４２Ｌｎをオフにして、走査電極ＳＣ１〜ＳＣｎに波高値の絶対値が電圧Ｖｓ１である走査側維持パルスを印加する。そして走査側維持パルスの立ち上がり期間が終了した後に、維持電極ＳＵ１〜ＳＵｎに電圧０（Ｖ）を印加する。
【００５３】
すると書き込み放電を起こした放電セルでは、走査電極ＳＣｉ上と維持電極ＳＵｉ上との電圧差が、走査電極ＳＣｉ上の壁電圧と維持電極ＳＵｉ上の壁電圧との差に電圧Ｖｓ１が加算されたものとなり、放電開始電圧を超える。そして、走査電極ＳＣｉと維持電極ＳＵｉとの間に維持放電が起こり、このとき発生した紫外線により蛍光体層２５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書き込み期間において書き込み放電が起きなかった放電セルでは維持放電は発生せず、初期化期間の終了時における壁電圧が保たれる。
【００５４】
次に、維持電極ＳＵ１〜ＳＵｎに波高値の絶対値が電圧Ｖｓ２である維持側維持パルスを印加する。そして維持側維持パルスの立ち上がり期間が終了した後に、トランジスタＱ７２Ｈ１〜Ｑ７２Ｈｎをオフ、トランジスタＱ７２Ｌ１〜Ｑ７２Ｌｎをオンにして、走査電極ＳＣ１〜ＳＣｎに電圧０（Ｖ）を印加する。
【００５５】
すると、維持放電を起こした放電セルでは、維持電極ＳＵｉ上と走査電極ＳＣｉ上との電圧差が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００５６】
以降同様に、走査電極ＳＣ１〜ＳＣｎに走査側維持パルスを、維持電極ＳＵ１〜ＳＵｎに維持側維持パルスを、それぞれ交互に輝度重みに応じた数だけ印加し、書き込み期間において書き込み放電を起こした放電セルで維持放電を継続して発生させる。
【００５７】
そして、維持期間の最後には走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉ上および維持電極ＳＵｉ上の壁電圧を消去している。こうして維持期間における維持動作が終了する。なお細幅パルス状の電圧差に換えて傾斜状の電圧差を与えてもよい。
【００５８】
選択初期化を行う第２ＳＦの初期化期間では、全セル初期化動作を行う第１ＳＦの初期化期間の後半部とほぼ同様の駆動を行う。すなわち、走査電極ＳＣ１〜ＳＣｎには電圧Ｖｓ１から電圧Ｖａに向かって緩やかに下降する傾斜波形電圧を印加する。
【００５９】
すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書き込み動作に適した壁電圧に調整される。一方、前のサブフィールドで維持放電を起こさなかった放電セルについては放電することはなく、前のサブフィールドの初期化期間終了時における壁電荷がそのまま保たれる。このように選択初期化動作は、直前のサブフィールドの維持期間で維持動作を行った放電セルに対して選択的に初期化放電を行う動作である。
【００６０】
続く書き込み期間の動作は第１ＳＦの書き込み期間の動作と同様であり、維持期間の動作も維持パルスの数を除いて第１ＳＦの維持期間の動作と同様であるため、説明を省略する。続くサブフィールドにおける動作は、維持パルスの数を除いて第２ＳＦの動作と同様である。
【００６１】
なお、本実施の形態においては、電圧Ｖｓ１は１５０（Ｖ）、電圧Ｖｓｅｔは２７０（Ｖ）、電圧Ｖａは−１００（Ｖ）、電圧Ｖｓ２は２３０（Ｖ）、電圧Ｖｅ１は１４０（Ｖ）、電圧Ｖｅ２は１５０（Ｖ）である。また走査電極ＳＣ１〜ＳＣｎに印加する上り傾斜波形電圧および下り傾斜波形電圧の傾斜はともに１０Ｖ／μ以下である。またデータ電極Ｄ１〜Ｄｍに印加する電圧Ｖｄは７０（Ｖ）である。しかしこれらの電圧は上述した値に限定されるものではなく、パネルの放電特性やプラズマディスプレイ装置の仕様にもとづき最適に設定することが望ましい。
【００６２】
上述したように、本実施の形態においては走査電極ＳＣ１〜ＳＣｎに印加する走査パルスも走査側維持パルスも波高値の絶対値が共に電圧Ｖｓ１である。そして走査パルスも走査側維持パルスも、共にパルス発生部４０の高圧側スイッチング素子としてのトランジスタＱ４２Ｈ１〜Ｑ４２Ｈｎと低圧側スイッチング素子としてのトランジスタＱ４２Ｌ１〜Ｑ４２Ｌｎとを用いて発生させている。そのため、図４に示したように、走査電極駆動回路３３の回路構成を大幅に簡略化することができる。
【００６３】
また本実施の形態においては、走査側維持パルスの波高値は電圧Ｖｓ１であり、維持側維持パルスの波高値は電圧Ｖｓ２であるので、走査側維持パルスの波高値は維持側維持パルスの波高値よりも低い。
【００６４】
一般に、波高値の異なる維持パルスを走査電極ＳＣ１〜ＳＣｎおよび維持電極ＳＵ１〜ＳＵｎに印加する場合には、消去放電が発生して維持放電が不安定となる傾向がある。しかしながら本実施の形態においては、図６に示したように、走査電極ＳＣ１〜ＳＣｎに印加する維持パルスの立ち上がり期間が終了した後に維持電極ＳＵ１〜ＳＵｎに印加していた維持パルスの立ち下がり期間を開始し、また維持電極ＳＵ１〜ＳＵｎに印加する維持パルスの立ち上がり期間が終了した後に走査電極ＳＣ１〜ＳＣｎに印加していた維持パルスの立ち下がり期間を開始している。このようなタイミングにて表示電極対に維持パルスを印加すると、走査側維持パルスおよび維持側維持パルスの立ち下がりをきっかけとして維持放電が発生する。そのため、走査電極ＳＣｉとデータ電極Ｄｋとの消去放電、または、維持電極ＳＵｉとデータ電極Ｄｋとの消去放電を誘発することなく、走査電極ＳＣｉと維持電極ＳＵｉとの維持放電を発生させることができ、安定した維持放電を実現することができる。
【００６５】
なお、本実施の形態においては、走査側維持パルスの立ち上がり期間が終了した後に維持側維持パルスの立ち下がり期間を開始し、維持側維持パルスの立ち上がり期間が終了した後に走査側維持パルスの立ち下がりを開始した。しかし、本発明はこれに限定されるものではない。維持側維持パルスの立ち下がり期間が終了する前に走査側維持パルスの立ち上がり期間を開始し、走査側維持パルスの立ち下がり期間が終了する前に維持側維持パルスの立ち上がり期間を開始すればよい。具体的には、例えば、維持側維持パルスの波高値が５０％以下に下がる前に走査側維持パルスの波高値を５０％以上に立ち上げ、走査側維持パルスの波高値が５０％以下に下がる前に維持側維持パルスの波高値を５０％以上に立ち上げてもよい。このようなタイミングにて表示電極対に維持パルスを印加することによっても安定した維持放電を実現することができる。
【００６６】
なお、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００６７】
本発明によれば、走査電極駆動回路を簡略化し、かつ安定した放電制御を実現したできる。
【図面の簡単な説明】
【００６８】
【図１】本発明の実施の形態に用いるパネルの構造を示す分解斜視図
【図２】本発明の実施の形態に用いるパネルの電極配列図
【図３】本発明の実施の形態におけるプラズマディスプレイ装置の回路ブロック図
【図４】本発明の実施の形態における、プラズマディスプレイ装置の走査電極駆動回路の詳細を示す回路図
【図５】本発明の実施の形態におけるパネルの各電極に印加する駆動電圧波形図
【図６】本発明の実施の形態における、プラズマディスプレイ装置の走査側維持パルスおよび維持側維持パルスの詳細を示す駆動電圧波形図
【符号の説明】
【００６９】
１０    パネル
１２    走査電極
１３    維持電極
１４    表示電極対
２２    データ電極
３０    プラズマディスプレイ装置
３１    画像信号処理回路
３２    データ電極駆動回路
３３    走査電極駆動回路
３４    維持電極駆動回路
３５    タイミング発生回路
３６    電源発生回路
４０    パルス発生部
５０    初期化波形発生部
Ｅ４１    フローティング電源
Ｑ４２Ｈ１〜Ｑ４２Ｈｎ，Ｑ４２Ｌ１〜Ｑ４２Ｌｎ，Ｑ４３，Ｑ４４，Ｑ４５    トランジスタ
【図１】
2010061054.tif 000003
【図２】
2010061054.tif 000004
【図３】
2010061054.tif 000005
【図４】
2010061054.tif 000006
【図５】
2010061054.tif 000007
【図６】
2010061054.tif 000008